(57)【要約】【課題】不正な遊技球を用いた不正遊技を確実に防止する遊技機を提供する。【解決手段】遊技球が流下する遊技領域を有する遊技盤と、遊技盤に配置された飾り装置と、遊技領域における前記飾り装置の下方に配置された入賞部品と、遊技領域における飾り装置の一側部に形成され、遊技球を前記入賞部品に向けて流下させる誘導流路とを備えた遊技機であって、飾り装置内に、粗面加工により形成された抵抗部と、抵抗部の端部から厚みが漸次減少する誘導部とを有する複数の抵抗子を積層した状態で、誘導部が誘導流路側に露出するように設けた構成とした。【選択図】図５
2014108329.tif 000002
【特許請求の範囲】
【請求項１】
遊技球が流下する遊技領域を有する遊技盤と、
前記遊技盤に配置された飾り装置と、
前記遊技領域における前記飾り装置の下方に配置された入賞部品と、
前記遊技領域における飾り装置の一側部に形成され、遊技球を前記入賞部品に向けて流下させる誘導流路と、
を備えた遊技機であって、
前記飾り装置内に、粗面加工により形成された抵抗部と、前記抵抗部の端部から厚みが漸次減少する誘導部とを有する複数の抵抗子を積層した状態で、前記誘導部が前記誘導流路側に露出するように設けたことを特徴とする遊技機。
【請求項２】
前記飾り装置が、前記遊技盤に配設された演出表示装置の周囲を囲むように設けられ、
前記入賞部品が前記飾り装置の右側部の下方に設けられ、
前記複数の抵抗子の誘導部が、前記飾り装置における前記演出表示装置の右側部に対応する壁部と、前記演出表示装置の右下部に対応する壁部とがなす角部において前記誘導流路側に露出するように設けられたことを特徴とする請求項１記載の遊技機。
【発明の詳細な説明】
【技術分野】
【０００１】
本発明は、不正行為を防止可能な遊技機に関し、特に糸状部材に繋がれた不正球を使用した不正行為を防止可能な遊技機に関する。
【背景技術】
【０００２】
従来、パチンコ機において、遊技者は遊技店によって貸し出される遊技球を発射機構に装填するとともに遊技球を遊技領域内に発射し、遊技領域内に設けられた複数の入賞口に遊技球を入賞させることにより、所定個数の賞球の払い出しという利益を享受している。ところが近年では、遊技球に接着剤等を介して糸状部材を付けた遊技球（以下、不正球という）を自作し、不正球と繋がる糸状部材を手で保持したまま、不正球をパチンコ機の発射機構に装填し、不正球を遊技領域内に発射するという「糸ゴト」と呼ばれる不正行為が散見されている。具体的には、糸ゴトを行う遊技者（以下、不正遊技者）は、遊技領域内に設けられた飾り装置の角部等を支点として、手で保持した糸を操作することにより、遊技領域内に到達した不正球を自在に操り、不正球を遊技盤に配設された始動入賞口や一般入賞口に取り込ませた上で、手に保持した糸を繰り返し引っ張ることにより（リフティング動作）、上記入賞口の内部に設けられた入賞検出センサーにより不正球を繰り返し検出させ、短時間に大量の不正な賞球を得ている。
このような不正球を用いた不正行為を防止すべく、従来においては、発射通路の出口部分に設けられた戻り弁の先端部に不正球の糸状部材と係合しリフティング動作を不可能とする係合部を設けた構成や、風車の回転軸に切欠が設けられた壁部を設け、糸状部材を巻き取る構成や、センターケースの不正球が転動する面に、傾斜面に延設された突起を有する複数の溝を設けた構成を備えたパチンコ機が提案されている。
【先行技術文献】
【特許文献】
【０００３】
【特許文献１】特開２０１２−１００９７２号公報
【発明の概要】
【発明が解決しようとする課題】
【０００４】
しかしながら、特許文献１に記載の遊技機では、係合部を有する戻り弁と糸状部材とが係合した場合であっても、糸状部材としてビニールワイヤーやピアノ線等の一定の強度を有する糸状部材が用いられると、不正遊技者のリフティング運動により一定の柔軟性を有する戻り弁は遊技球発射方向の前後に自由に撓む。つまり、不正遊技者は、糸状部材が係合部に係合したまま不正行為を行うことができるので、不正行為を確実に抑止することができないという欠点が存在する。また、特許文献１に記載の遊技機に係る風車では、不正球が衝突した場合に発生する回転力により切欠が糸状部材を弾き、糸状部材を巻き取りにくいと言う欠点がある。さらに、特許文献１に記載の溝の傾斜面には、複数の突起が延設されているので、不正遊技者が不正行為を行った場合、糸状部材が切断されて不正球が機内から排出されてしまうこととなり、不正を行った証拠を保全することができないという欠点がある。
【０００５】
本発明は、上記事情に鑑みて糸状部材に繋がれた不正球を使用した不正行為を確実に防止可能なパチンコ機を提供する。
【課題を解決するための手段】
【０００６】
上記課題を解決するための構成として、遊技球が流下する遊技領域を有する遊技盤と、遊技盤に配置された飾り装置と、遊技領域における飾り装置の下方に配置された入賞部品と、遊技領域における飾り装置の一側部に形成され、遊技球を入賞部品に向けて流下させる誘導流路とを備えた遊技機であって、飾り装置内に、粗面加工により形成された抵抗部と、抵抗部の端部から厚みが漸次減少する誘導部とを有する複数の抵抗子を積層した状態で、誘導部が誘導流路側に露出するように設けた構成とした。
また、他の構成として、飾り装置が、遊技盤に配設された演出表示装置の周囲を囲むように設けられ、入賞部品が飾り装置の右側部の下方に設けられ、複数の抵抗子の誘導部が、飾り装置における演出表示装置の右側部に対応する壁部と、演出表示装置の右下部に対応する壁部とがなす角部において誘導流路側に露出するように設けられた構成とした。
なお、上記発明の概要は、本発明の必要な特徴の全てを列挙したものではなく、特徴群を構成する個々の構成もまた発明となり得る。
【発明の効果】
【０００７】
上記各構成によれば、糸状部材の形状及び材質にかかわらず、糸状部材に繋がれた不正球を使用した不正行為を防止することができる。
【図面の簡単な説明】
【０００８】
【図１】パチンコ機の外観を示す斜視図である。
【図２】遊技盤を示す正面図である。
【図３】パチンコ機のブロック図である。
【図４】右下飾り部品の角部を示す拡大斜視図である。
【図５】右下飾り部品の分解斜視図である。
【図６】抵抗子の斜視図である。
【図７】糸状部材の状態を示す拡大透過図である。
【発明を実施するための形態】
【０００９】
以下、図１〜図７を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明においてパチンコ機の各部の左右方向は、そのパチンコ機に対面する遊技者にとっての左右方向に一致させて説明する。
【００１０】
まず、図１から図３を用いてパチンコ機１について概説する。図１及び図２に示すように、本実施形態に係るパチンコ機１は、遊技場の島設備に設置される縦長方形状の機枠２と、この機枠２の側部に軸着され、開閉自在に取り付けられた本体枠３と、当該本体枠３の内側に装着された遊技盤２０と、本体枠３の前面に軸着されて開閉自在に取り付けられ、ガラス窓４ａが中央に大きく設けられたパネル扉４と、遊技球を収容する上皿５および下皿６とを有する前面ボード７と、本体枠３の下部に配設された図外の発射装置と、パネル扉４の下部に取り付けられたハンドル８と、パネル扉４の左右の上部にそれぞれ設けられたスピーカ９；９及びパネル扉４の内部に配設された図外の複数の発光体を備える。
【００１１】
上皿５の中央部には、操作部１０が配設される。操作部１０は、遊技盤２０の中央部に開設された取付孔を介して配設される演出表示装置５００の表示画面５０Ａに表示されるカーソル等を移動するためのダイアル部、ダイアル部によって移動されるカーソルと対応する項目を選択する際や、表示画面５０Ａにおいて展開される多様なボタン演出の際に押下されるボタン部等から構成される。
【００１２】
また、パチンコ機１の背面側には、図外の収容体や支持部材等を介して、図３に示す主制御装置１００、副制御装置（演出制御装置）２００、払出制御装置３００、発射制御装置４００等の制御装置が搭載されている。主制御装置１００、副制御装置２００、払出制御装置３００及び発射制御装置４００は、何れもＣＰＵ（Ｃｅｎｔｒａｌ  Ｐｒｏｃｅｓｓｉｎｇ  Ｕｎｉｔ）と、遊技処理に必要なプログラム、及び、遊技処理に必要なデータを格納したＲＯＭ（Ｒｅａｄ  Ｏｎｌｙ  Ｍｅｍｏｒｙ）と、ＣＰＵがＲＯＭに格納されたコンピュータプログラムに従って処理を行うための一時記憶領域であるＲＡＭ（Ｒａｎｄｏｍ  Ａｃｃｅｓｓ  Ｍｅｍｏｒｙ）とを備えるマイクロコンピュータである。
【００１３】
図２，３に示すように、前面ボード７の上皿５に充填された球はパチンコ機１の内部に１個ずつ流入され、図示しない発射装置に１個ずつ流入（供給）されるようになっている。発射制御装置４００は、ハンドル８の回動操作量に応じて球の発射強度を設定し、その発射強度で球が発射されるよう発射装置を制御するようになっている。
また、発射制御装置４００には、ハンドル８に設けられた人体検知に係るタッチスイッチ３０２や停止スイッチ３０３からの信号が払出制御装置３００を経由して入力され、タッチスイッチ３０２がＯＮ状態であることを条件にハンドル８の回動操作が有効化される。有効化されたハンドル８を右側に回動することにより、発射装置に装填される球は発射装置から発射され、内ガイドレール２７及び外ガイドレール２８により区画される発射領域２９を通過し、外ガイドレール２８及び後述のセンター飾り装置４０によって区画される遊技領域３０内を流下する。
【００１４】
次に、図２を参照して、遊技盤２０の遊技領域３０内に配設された各種の遊技部品について説明する。遊技盤２０の遊技領域３０には、遊技領域３０の略中央部に配設された表示手段としての演出表示装置５００と、当該演出表示装置５００の周囲を取り囲むように配設されたセンター飾り装置４０の他、演出表示装置５００よりも下方における遊技領域３０の略中央部に配設された第１始動入賞部品６１と、当該第１始動入賞部品６１の直下に配設される第２始動入賞部品６２と、当該第２始動入賞部品６２の下方に配設される第１特別入賞装置６５Ａと、遊技領域３０の右側部に形成された右側流路Ｒ１の下方に配設される第２特別入賞装置６５Ｂと、遊技領域３０の左側部、及び右側流路Ｒ１の下方にそれぞれ配設される複数の一般入賞部品６７等の入賞手段が設けられる。
【００１５】
図３に示すように各入賞手段それぞれには、遊技球の入賞を検知する検知センサーＳＷ１〜ＳＷ５が内蔵されており、遊技球の進入が検知される。また、遊技盤２０にはこの他、第１始動入賞部品６１又は第２始動入賞部品６２への入賞を契機として、主制御装置１００によって実行される特別遊技の可否に関する所定の抽選（特図当否抽選）の結果をそれぞれ表示する第１特別図柄表示装置３５Ａ、及び第２特別図柄表示装置３５Ｂと、遊技領域３０の左側部に配設され、通過ゲート６６に内蔵された検知センサーＳＷ６による遊技球の検知を契機として主制御装置１００により実行される所定の抽選（普図当否抽選）の結果を表示する普通図柄表示装置４１と、前述の各入賞手段に入賞せずに遊技領域３０を流下した遊技球を回収するアウト口６８と、遊技領域３０内を流下する遊技球の流下方向を可変する風車や、遊技領域３０に進入した遊技球の流下通路を形成する複数の遊技釘とが設けられている。
【００１６】
次に、パチンコ機１における遊技の概要について説明する。
遊技領域３０に発射された遊技球が、第１始動入賞部品６１又は第２始動入賞部品６２内に取り込まれ、検知センサーＳＷ１又はＳＷ２によって検知されると、当該検知センサーＳＷ１又はＳＷ２の検知信号は、主制御装置１００側に入力される。主制御装置１００側では当該検知信号の入力に基づいて、例えば０〜６５５３６までの値を取り得るカウンタから１つの乱数を取得するとともに、当該取得した乱数と、当該乱数に対応する当否結果（「当り」又は「外れ」）が規定された所定のテーブルとを参照し、特別遊技の実行の可否に関する抽選処理（特図当否抽選）を実行する。そして、主制御装置１００は、当該特図当否抽選の結果（当否結果）が「当り」である場合においては、前述の第１特別図柄表示装置３５Ａ、及び第２特別図柄表示装置３５Ｂにおける特別図柄の変動表示制御を開始させるとともに、所定の変動時間経過後に、特別図柄を当否結果が「当り」であることを示す態様で停止表示させる。
【００１７】
また、主制御装置１００は、特図当否抽選の実行とともに、少なくとも当否結果に係る情報を含む変動開始コマンドを副制御装置２００側に送信し、演出表示装置５００の表示画面５０Ａで展開される演出図柄（例えば１〜９までの数字及び特定のキャラクター）の変動表示を開始させる。変動開始コマンドを受信した副制御装置２００は、当否結果に係る情報や主制御装置１００側で決定された変動時間に係る情報等に基づいて複数の演出パターンの中から特定の演出パターンを決定して当該決定された演出パターンに係る情報を含む演出開始コマンドを演出表示装置５００側に送信し、前述の特別図柄の変動時間と略同期した演出図柄の変動表示を表示画面５０Ａにおいて展開させる。
【００１８】
また、主制御装置１００は、特別図柄及び演出図柄の停止態様が「当り」を示す態様である場合には、特別遊技を実行する。特別遊技は、主制御装置１００の制御によって第１特別入賞装置６５Ａ又は第２特別入賞装置６５Ｂが開放動作されることにより具現化される。例えば、主制御装置１００は、第１特別入賞装置６５Ａを構成する横長矩形状の開閉体を図外のソレノイドへの励磁によって遊技領域３０の前方において閉鎖状態から開放状態へと変位させ、第１特別入賞装置６５Ａの周囲近傍に流下してきた遊技球の内部への取り込みを可能とする。また、主制御装置１００は、第２特別入賞装置６５Ｂを構成する遊技盤２０の前後方向に出没可能な横長矩形状の開閉体を図外のソレノイドへの励磁によって遊技領域３０の前方において出没させ、右側流路Ｒ１を経て第２特別入賞装置６５Ｂの周囲近傍に流下してきた遊技球の内部への取り込みを可能とする。つまり、パチンコ機１は、第１始動入賞部品６１又は第２始動入賞部品６２への遊技球の入賞を契機として、特別遊技の実行の可否に関する所定の抽選を実行し、当該抽選の結果を示す態様で特別図柄及び演出図柄を停止表示させた後に、第１特別入賞装置６５Ａ又は第２特別入賞装置６５Ｂが開放状態とする特別遊技を実行する構成である。
【００１９】
また、主制御装置１００は、遊技球が前述の各入賞手段に入賞（各検知センサーＳＷ１〜ＳＷ５により検知）した場合、入賞手段の種類に応じて所定の賞球を払出す賞球払出処理を実行する。ここで、例えば第１始動入賞部品６１、第２始動入賞部品６２及び一般入賞部品６７への入賞に対する賞球数は３個に設定され、第１特別入賞装置６５Ａ及び第２特別入賞装置６５への入賞に対する賞球数は１５個に設定されている。主制御装置１００は、各検知センサーＳＷ１〜ＳＷ５からの検知信号の入力に基づいてこれに対応する賞球数に係る情報を含む賞球払出しコマンドを生成し、払出制御装置３００側に送信する。
払出制御装置３００側では、賞球払出しコマンドに含まれる賞球数に係る情報に基づいて賞球払出装置３００Ａを駆動制御し、遊技者に対して各入賞手段の種類に応じた個数の賞球を払出させる。以下、特に本発明と関連の深いセンター飾り装置４０について説明する。
【００２０】
センター飾り装置４０は、遊技盤２０の中央に開設された取付孔を介して配設された演出表示装置５００の表示画面５０Ａの周囲を取り囲むように配設された枠状部品であって、周囲に設けられた複数のネジ穴を介して遊技盤２０の前面に取り付けられる。センター飾り装置４０が遊技盤２０の前面に取り付けられ、前述のガラス窓４ａが閉じられた場合、センター飾り装置４０の前面とガラス窓４ａの裏面との離間距離は、遊技球の直径よりも小さな寸法で近接しており、センター飾り装置４０の前方を遊技球が流下することは不可能とされている。よって、センター飾り装置４０よりも上方の遊技領域３０に到達した遊技球は、センター飾り装置４０に沿って遊技領域３０の左右方向に誘導されることとなる。
上記枠状のセンター飾り装置４０は、大きく分けて表示画面５０Ａの上方に位置する上側飾り部品４０Ａ、表示画面５０Ａの左側方に位置する左側飾り部品４０Ｂ、表示画面５０Ａの右側方に位置する右側飾り部品４０Ｃ、左側飾り部品４０Ｂと連続するように遊技盤２０の中央方向に下傾斜しつつ延在する左下側飾り部品４０Ｄ、右側飾り部品４０Ｃと連続するように遊技盤２０の中央方向に下傾斜しつつ延在する右下側飾り部品４０Ｅ、及び、左下側飾り部品４０Ｄ、右下側飾り部品４０Ｅの端部同士を接続し、表示画面５０Ａの下方において左右方向に延在する下側飾り部品４０Ｆによって分割可能に構成されている。
【００２１】
上側飾り部品４０Ａは、前面に機種ごとのタイトル等が表示される表示面やその他の意匠面、或いは発光面を有し、表示画面５０Ａの上方において左右方向に延在する。左側飾り部品４０Ｂは、上側飾り部品４０Ａの左側端部と連接して、左側に緩やかに湾曲しつつ下方に向かって延在する部品であり、その前面は立体的な装飾形状を呈するように加工されているとともに、遊技球の進入を許容する図外のワープ口が開設されている。また、左側飾り部品４０Ｂの背後には、副制御装置２００の駆動制御によって表示画面５０Ａの前方を右方向に移動可能な所定形状の可動役物５１Ａが配設されている。
【００２２】
右側飾り部品４０Ｃは、上側飾り部品４０Ａの右側端部と連接して、右側に緩やかに湾曲しつつ下方に向かって延在する部品であり、その前面は左側飾り部品４０Ｂと同様に立体的な装飾形状を呈するように加工されている。また、右側飾り部品４０Ｃの背後には、副制御装置２００の駆動制御によって表示画面５０Ａの前方を左方向に移動可能な所定形状の可動役物５１Ｂが配設されている。
また、右側飾り部品４０Ｃの右側には、外ガイドレール２８との間に遊技球の直径よりも僅かに広い右側流路Ｒ１が形成されており、遊技領域３０の中心部よりも右側に打ち出された遊技球は、当該右側流路Ｒ１を通って下方に流下することとなる。なお、右側流路Ｒ１の寸法は、一個の遊技球が流下可能である一方、２個の遊技球が並列した状態で流下することができない寸法に設定されており、当該右側流路Ｒ１に到達した遊技球は、１つずつ下方に位置する第２特別可変入賞装置６５Ｂ又は一般入賞部品６７に向けて誘導されることとなる。
【００２３】
左下側飾り部品４０Ｄは、左側飾り部品４０Ｂの下端部と連接して右側に下傾斜しつつ延在する部品である。右下側飾り部品４０Ｅは、右側飾り部品４０Ｃの下端部と連接して下方に垂下するとともに、略直角に屈曲して遊技盤２０の中央部（左側）に下傾斜しつつ延在する部品である。また、右下側飾り部品４０Ｅの右側には、前述の右側飾り部品４０Ｃと同様に、外ガイドレール２８との間の領域である右側流路Ｒ１が形成されている。
また、略直角に屈曲しつつ延在する右下側飾り部品４０Ｅの角部Ｑには、右側流路Ｒ１を経由して、当該右側流路Ｒ１の下方に配設された一般入賞部品６７や第２特別図柄表示装置３５Ｂに入賞しようとする不正球による不正行為を阻止するための後述の不正遊技防止機構４５が設けられている。
【００２４】
下側飾り部品４０Ｆは、左下飾り部品４０Ｂと右下側飾り部品４０Ｃとを接続するように下方に向けて緩やかに湾曲しつつ左右方向に延在する部品である。また、下側飾り部品４０Ｆの一部における遊技盤２０前面からの突出寸法は、他の飾り部品の突出寸法よりも短く設定され、遊技球は当該下側飾り部品４０Ｆの前面を流下することが可能である。また、下側飾り部品４０Ｆの背後には、後方及び左右方向に広がるステージ５２が設けられており、ワープ口５２Ａに進入してステージ５２上に到達した遊技球は、下側飾り部品４０Ｆの前方から下方の遊技領域３０に流下可能である。
以下、図４乃至図７を参照し、右側流路Ｒ１の一部を形成するとともに、内部に不正遊技防止機構４５を備えた右下側飾り部品４０Ｅの構造について説明する。
【００２５】
図５に特に示すように、右下側飾り部品４０Ｅは、遊技盤２０前面の一部に取り付けられるベース部材７０と、当該ベース部材７０に対して前方から組み付けられるカバー部材８０とから構成される。また、ベース部材７０と、カバー部材８０との間には複数の抵抗子９０より構成される不正遊技防止機構４５が設けられる。
【００２６】
ベース部材７０は、Ｌ字状のベースプレート７１と、上下方向に延在する側壁７２と、左右方向に延在する底壁７３と、複数の受容部７５Ａ〜７５Ｄ、及び調節貫通孔７６とを有し、カバー部材８０と前後方向に組み付け可能に構成されている。Ｌ字状のベースプレート７１は、側壁７２の外側に開設された取付孔７１Ａに前方より螺入される止めねじ等の固定手段によって遊技盤２０の前面に固定される。側壁７２は、ベースプレート７１の右側周縁部近傍における前面から前方、即ちカバー部材８０側に突設される壁部であって、右側流路Ｒ１を形成する外ガイドレール２８の一部の範囲と対向しつつ上下方向に延在する。
【００２７】
底壁７３は、側壁７２とベースプレート７１の右側周縁部近傍における前面から前方、即ちカバー部材８０側に突設される壁部であって、側壁７２に対して略直角に左右方向に延在する。つまり、側壁７２と底壁７３は、Ｌ字状のベースプレート７１の右側周縁部、下側周縁部を縁取るように形成される。また、側壁７２の下端部と底壁７３の右端部との間の角部Ｑは、後述する不正遊技防止機構４５の一部が右側流路Ｒ１側に露出可能な露出部Ｐ１として設けられている。
【００２８】
受容部７５Ａ〜７５Ｄは、カバー部材８０側に設けられた円筒状の取り付けボス８５Ａ〜８５Ｄと対応する位置に設けられた係合凹部であって、各取り付けボス８５Ａ〜８５Ｄの先端部を受け入れ可能となっている。調節貫通孔７６は、ベースプレート７１の前後面を貫通する円孔であって、ベースプレート７１の後方より、雄ネジＸを螺入可能である。
【００２９】
また、ベースプレート７１の露出部Ｐ１には、略五角形状の座板７７が配設される。座板７７は、側壁７２と底壁７３との間に形成された露出部Ｐ１に嵌りこむように形成された略五角形状の外郭部７７Ａと、外郭部７７Ａの１つの角部から内周側に向けて設けられたボス受入部７７Ｂとを有する。外郭部７７Ａは、ベースプレート７１の前面より所定の厚みを有するとともに、同じく略五角形状に形成された複数の抵抗子９０の周縁部と当接する。また、ボス受入部７７Ｂは、前述の調節貫通孔７６の周縁を取り囲むように設けられた円環状であって、カバー部材８０側に形成されたトルク調整用ボス８６の先端部を受け入れ可能とされている。なお、調整貫通孔７６とトルク調整用ボス８６との関係については後述する。
【００３０】
次に、カバー部材８０について説明する。カバー部材８０は、前述のＬ字状のベースプレート７１と略対応する形状に形成されたＬ字状のカバープレート８１と、前述の側壁７２と対応して形成された側壁８２と、底壁７３と対応して形成された底壁８３と、底壁８３と連接して形成された補強壁８４と、複数の受容部７５Ａ〜７５Ｄに対応して形成された取り付けボス８５Ａ〜８５Ｄと、トルク調整用ボス８６とを有する。カバープレート８１は、ベースプレート７１と前後方向に対向する略Ｌ字状の板体であって、遊技者が正面視した場合に炎の形状を呈するように、その一部が先鋭に加工されている。
【００３１】
側壁８２は、前述の側壁７２よりも内側の位置において、カバープレート８１の後面から後方に突設される壁部であって、ベース部材７０に対してカバー部材８０が組み付けられた場合、側壁８２は側壁７２によってその外周面が覆われる。また、側壁８２の内周面側には、カバープレート８１の後面から後方に突出する取り付けボス８５Ａが側壁８２と接するように設けられている。底壁８３は、前述の底壁７２よりも内側の位置において、カバープレート８１の後面から後方に突設される壁部であって、ベース部材７０に対してカバー部材８０が組み付けられた場合、底壁８３は底壁７３によってその外周面が覆われる。また、底壁８３の内周面側には、カバープレート８１の後面から後方に突出する取り付けボス８５Ｄが設けられている。また、側壁８２の下端部と底壁８３の右端部との間の角部Ｑは、不正遊技防止機構４５の一部が右側流路Ｒ１側に露出可能な露出部Ｐ２として設けられている。
【００３２】
補強壁８４は、底壁８３と連接してカバープレート８１の後面から後方に突設される壁部であって、カバープレート８１の前面の炎形状の一部と対応するように枠状に延在する。また、補強壁８４の内周側には、カバープレート８１の後面から後方に突出する取り付けボス８５Ｃが補強壁８４と接するように設けられている。
【００３３】
側壁８２と底壁８３との間に設けられた露出部Ｐ２内には、取り付けボス８５Ｂ、トルク調整用ボス８６が形成されるとともに、座板８７が配設される。取り付けボス８５Ｂは、カバープレート８１の後面から後方に突出し、その先端部は複数の抵抗子９０にそれぞれ形成され、当該取り付けボス８５Ｂの外径と略一致する内径を有する貫通孔９４に挿通されて前述の受容部７５Ｂに受け入れられる。また、トルク調整用ボス８６は、取り付けボス８５Ｂよりも左側の位置においてカバープレート８１の後面から後方に突出する。トルク調整用ボス８６の先端部は、複数の抵抗子９０にそれぞれ形成され、当該トルク調整用ボス８６の外径と略一致する内径を有する貫通孔９５に挿通され、前述の座板７７に形成されたボス受入部７７Ｂ内に挿入される。
【００３４】
露出部Ｐ２内において取り付けボス８５Ｂ、及びトルク調整用ボス８６を取り囲むように配設される座板８７は、前述の座板７７の外郭部７７Ａと対応する略五角形状の外郭部８７Ａを有する。当該外郭部８７Ａは、カバープレート８１の後面より所定の厚みを有するとともに、同じく略五角形状に形成された複数の抵抗子９０の周縁部と当接する。
【００３５】
次に、上記構成からなるベース部材７０とカバー部材８０との組み付け例について説明する。まず、ベース部材７０及びカバー部材８０の露出部Ｐ１；Ｐ２それぞれに座板７７；８７を配置する。次に、複数の抵抗子９０を任意の枚数だけ重ね合せ（本例では３枚）、後述する抵抗子９０の誘導部９２が右側流路Ｒ１を向くようにカバー部材８０側に配設する。
より詳細には、貫通孔９４；９５と取り付けボス８５Ｂ、及びトルク調整用ボス８６とを互いに対応するように位置決めし、台座８７上に複数の抵抗子９０を載置する。次に、ベース部材７０の複数の受容部７５Ａ〜７５Ｄと、カバー部材８０の複数の取り付けボス８５Ａ〜８５Ｄとを互いに向い合せて位置決めし、前後方向に嵌合させる。次に、ベース部材７０の後方側から調整貫通孔７６に対して止めねじＸを挿入し、当該調整貫通孔７６に対向するトルク調整用ボス８６の先端部に螺入する。この時、止めねじＸの締め付けトルクにより、複数の抵抗子９０間に生じる間隙を調節することが可能であり、止めねじＸを緩めれば糸状部材を収容できる間隙は増加し、止めねじＸを強く締めれば間隙は減少する。当該締め付けトルクの調整により、不正球を用いた不正遊技に用いられる糸状部材の太さに対応することが可能となる。
【００３６】
複数の抵抗子９０が、上記のように組み付けられる右下側飾り部品４０Ｅ内に装着された場合、図２，図４に示すように右下側飾り部品４０Ｅにおける右下の角部Ｑには、不正遊技防止機構４５を構成する複数の抵抗子９０の一部である誘導部９２が右側流路Ｒ１に臨んで外部に露出した状態として配設されることとなる。
つまり、本実施形態に係る不正遊技防止機構４５は、右側流路Ｒ１に面する右下側飾り部品４０Ｅの角部Ｑにおいて、右側流路Ｒ１側に露出する誘導部９２を備えた複数の抵抗子９０により構成される。そして、例えば糸状部材Ｌ１と接続された不正球Ｔが、右側流路Ｒ１を流下し、右側に配設された一般入賞部品６７に入賞しようとした場合、当該不正球Ｔに続く糸状部材Ｌ１は、複数の抵抗子９０によって捕捉され、リフティング動作が不可能とされる。以下、図６を参照して、抵抗子９０の具体的な構造について説明する。
【００３７】
図６は、不正遊技防止機構４５を構成する抵抗子９０の斜視図である。同図に示めすように、抵抗子９０は、座板７７；８７の外郭部７７Ａ；８７の形状と対応するように略五角形に形成され、ベース部材７０及びカバー部材８０内に配設された場合において、ベース部材７０及びカバー部材８０によって前後が覆われる抵抗部９１と、右側流路Ｒ１に臨み、外部に露出する誘導部９２とを有する。また、同図に示すように、抵抗部９１及び誘導部９２は、抵抗子９０の前後にそれぞれ設けられた領域である。抵抗子９０は、例えばポリカーボネートで形成されている。
抵抗子９０の前後に形成される抵抗部９１の表面には、粗面加工装置を用いて粗面加工が施してあり、その摩擦係数は、誘導部９２の表面に比べて高く設定される。また、抵抗部９１には、前後方向に貫通する貫通孔９４；９５が開設されており、当該貫通孔９４；９５内には、前述の取り付けボス８５Ｂ及びトルク調整用ボス９６が挿通される。
【００３８】
誘導部９２は、五角形状の抵抗子９０における右側流路Ｒ１に臨む２辺に亘って屈曲しつつ延在する領域である。また、誘導部９２は、抵抗部９１の外縁９１Ａから右側流路Ｒ１方向に向けてテーパー状となるように、換言すれば、厚みが漸次減少するように剣先状に形成されている。また、当該誘導部９２の表面は、前述の抵抗部９１の表面とは異なり、粗面加工がなされておらず、その摩擦係数は抵抗部９１の表面に比べて低く設定されている。
【００３９】
次に、図２，図４，図７を参照し、上記構成からなる不正遊技防止機構４５を備えたパチンコ機１において、不正行為を行おうとする不正遊技者が、糸状部材Ｌ１が結び付けられた不正球Ｔを用いて遊技した場合について説明する。なお、同図において積層された複数の抵抗子９０を前方から９０Ａ；９０Ｂ；９０Ｃとする。また、不正遊技者が、遊技球に結び付けられる糸状部材Ｌ１としては、例えば、天然繊維や化学繊維により構成される糸や紐、ナイロンやフロロカーボン等の合成繊維により構成されるビニールワイヤー、すずや亜鉛等から構成されるピアノ線等の金属ワイヤー、並びにこれらの撚り合せた編み糸等が一例として挙げられる。
遊技者の発射操作により、不正球Ｔが右側飾り部品４０Ｃ及び右下側飾り部品４０Ｅの右側に形成された右側流路Ｒ１を流下した場合、当該不正球Ｔは、右下側飾り部品４０Ｅの直下に設けられたクランク状の遊技球誘導部Ｋに沿って遊技盤２０の中央方向（左側）に転動し、遊技球誘導部Ｋの左端部下方に設けられた一般入賞部品６７方向へ流下する。そして、不正球Ｔが上記位置に到達したことを見計らって、不正遊技者は、不正球を一般入賞部品６７に入賞させようとすべく糸状部材Ｌ１を上下に引っ張り（リフティング操作）、不正球Ｔが一般入賞部品６７の周囲に稙設された遊技釘をかいくぐるように操作する。
ところが、このような操作がなされた場合、図７に示すように不正球Ｔに繋がれた後続の糸状部材Ｌ１は、球の重さと不正遊技者に引っ張られる張力により右下側飾り部品４０Ｅの角部Ｑ側に引き寄せられ、右下側飾り部品４０Ｅの角部Ｑに接触した糸状部材Ｌ２は、複数の抵抗子９０Ａ〜９０Ｃのうちのいずれかの誘導部９２により右下側飾り部品４０Ｅの内部、換言すれば抵抗部９１側に引き込まれるように誘導される。そして、抵抗部９１側に誘導された糸状部材Ｌ２は、前後方向に対向する複数の抵抗子９０（同図では抵抗子９０Ａ；９０Ｂ）における抵抗部９１；９１間に挟まった状態となり、抵抗部９１；９１間に挟まった糸状部材Ｌ２は、粗面加工された表面との摩擦により、不正遊技者が糸状部材を引っ張ってリフティング操作をしようとしても容易に動くことができない。これにより、不正球を繰り返し一般入賞部品６７に入賞させる不正遊技を確実に防止できるとともに、一度抵抗部９１；９１間に挟まった糸状部材Ｌ２を容易に回収することができないため、不正がなされた証拠として糸状部材Ｌ２や当該糸状部材Ｌ２に繋がれた不正球Ｔを保全することが可能となる。
【００４０】
なお、上記実施形態においては、抵抗部９１の表面を粗面加工を施す構成としたが、例えば抵抗部９１の表面に薄膜のゴムやウレタン等で構成されたシートを貼着、或いは、塗布する構成として摩擦係数を高めるようにしてもよい。
【符号の説明】
【００４１】
１  パチンコ機，２０  遊技盤，２８  外側ガイドレール，３０  遊技領域，
４０Ｃ  右側飾り部品，４０Ｅ  右下側飾り部品，４５  不正遊技防止機構，
５０  センター飾り装置，５０Ａ  表示画面，６５Ａ  第１特別入賞装置，
６５Ｂ  第２特別入賞装置，６７  一般入賞部品，７０  ベース部材，
７６  調整貫通孔，８０  カバー部材，９０  抵抗子，９１  抵抗部，９２  誘導部，
１００  主制御装置，５００  演出表示装置，
Ｌ１；Ｌ２  糸状部材，Ｐ１；Ｐ２  露出部，Ｒ１  右側流路，Ｔ  不正球。  
【図１】
2014108329.tif 000003
【図２】
2014108329.tif 000004
【図３】
2014108329.tif 000005
【図４】
2014108329.tif 000006
【図５】
2014108329.tif 000007
【図６】
2014108329.tif 000008
【図７】
2014108329.tif 000009